(57)【要約】【課題】印刷物の増刷を調整することにより在庫を管理することができる発送支援装置及び発送支援システムを提供する。【解決手段】発送支援サーバ１は、印刷物の印刷形態及び増刷履歴を有する印刷物詳細情報１１Ｃと、印刷物ごとに予め定められた最低在庫部数を示す増刷閾値情報１１Ｄとを記憶する記憶部１１と、印刷物の発送部数と、印刷物の在庫部数に基づいて印刷物を増刷するか否かを判定する増刷判定手段１０Ｃと、増刷判定手段１０Ｃによる判定に基づき、印刷物詳細情報１１Ｃから算出された分岐部数に基づいて増刷の発注先を決定し、発送部数に対する不足する部数を印刷するよう印刷指示を行う印刷指示手段１０Ｄとを有する。【選択図】図２
2011003079.tif 000002
【特許請求の範囲】
【請求項１】
印刷物の印刷形態及び増刷履歴を有する詳細情報を記憶する記憶手段と、
印刷物の発送部数が前記印刷物の在庫部数より多いとき前記印刷物の増刷が必要と判定する増刷判定手段と、
前記増刷判定手段により前記印刷物の増刷が必要と判定されたとき、前記発送部数に対して前記在庫部数から不足する分の増刷部数と、前記詳細情報に応じて印刷指示先を選択するために予め定められた分岐部数との大小の比較により印刷指示先を決定し、前記印刷指示先に前記増刷部数の印刷指示を行う印刷指示手段と、
を有する発送支援装置。
【請求項２】
前記記憶手段は、前記印刷物ごとに予め定められた最低在庫数を示す増刷閾値情報をさらに記憶し、
前記増刷判定手段は、前記在庫部数が前記増刷閾値情報より少ないとき、及び前記詳細情報が予め定められた条件に一致するとき前記印刷物の増刷が必要と判定し、
前記印刷指示手段は、前記分岐部数の前記印刷物を印刷するよう印刷指示を行う請求項１に記載の発送支援装置。
【請求項３】
前記記憶手段は、前記詳細情報としてさらに前記印刷部数が改訂された履歴を示す改訂履歴を記憶し、
前記増刷判定手段は、前記詳細情報の前記増刷履歴及び前記改訂履歴に基づいて前記増刷部数を増減させる請求項２に記載の発送支援装置。
【請求項４】
印刷物の印刷形態及び増刷履歴を有する詳細情報を参照可能なコンピュータに、
印刷物の発送部数が前記印刷物の在庫部数より多いとき前記印刷物の増刷が必要と判定する増刷判定機能と、
前記増刷判定手段により前記印刷物の増刷が必要と判定されたとき、前記発送部数に対して前記在庫部数から不足する分の増刷部数と、前記詳細情報に応じて印刷指示先を選択するために予め定められた分岐部数との大小の比較により印刷指示先を決定し、前記印刷指示先に前記増刷部数の印刷指示を行う印刷指示機能とを動作させるための発送支援プログラム。
【発明の詳細な説明】
【技術分野】
【０００１】
本発明は、発送支援装置及び発送支援システムに関する。
【背景技術】
【０００２】
特許文献１には、印刷物の文書データを管理する文書サーバと、印刷物の在庫情報を管理する在庫管理サーバと、文書サーバから印刷物の一覧を取得して表示し、一覧から利用者が所望する印刷物の在庫を在庫管理サーバから取得して表示するとともに、その印刷物を在庫から配送指示するか、オンデマンド印刷するか、又はそれらの組み合わせにて行うかを利用者に選択させる表示を行うプリンタとを有し、利用者の所望する印刷物を利用者の選択した形態によって発送処理を行うシステムが記載されている。
【先行技術文献】
【特許文献】
【０００３】
【特許文献１】特開２００５−１６５７２２号公報
【発明の概要】
【発明が解決しようとする課題】
【０００４】
本発明の目的は、印刷物の増刷を調整することにより在庫を管理することができる発送支援装置及び発送支援システムを提供することにある。
【課題を解決するための手段】
【０００５】
［１］印刷物の印刷形態及び増刷履歴を有する詳細情報を記憶する記憶手段と、印刷物の発送部数が前記印刷物の在庫部数より多いとき前記印刷物の増刷が必要と判定する増刷判定手段と、前記増刷判定手段により前記印刷物の増刷が必要と判定されたとき、前記発送部数に対して前記在庫部数から不足する分の増刷部数と、前記詳細情報に応じて印刷指示先を選択するために予め定められた分岐部数との大小の比較により印刷指示先を決定し、前記印刷指示先に前記増刷部数の印刷指示を行う印刷指示手段と、を有する発送支援装置。
【０００６】
［２］前記記憶手段は、前記印刷物ごとに予め定められた最低在庫数を示す増刷閾値情報をさらに記憶し、前記増刷判定手段は、前記在庫部数が前記増刷閾値情報より少ないとき、及び前記詳細情報が予め定められた条件に一致するとき前記印刷物の増刷が必要と判定し、前記印刷指示手段は、前記分岐部数の前記印刷物を印刷するよう印刷指示を行う前記［１］に記載の発送支援装置。
【０００７】
［３］前記記憶手段は、前記詳細情報としてさらに前記印刷部数が改訂された履歴を示す改訂履歴を記憶し、前記増刷判定手段は、前記詳細情報の前記増刷履歴及び前記改訂履歴に基づいて前記増刷部数を増減させる前記［２］に記載の発送支援装置。
【０００８】
［４］印刷物の印刷形態及び増刷履歴を有する詳細情報を参照可能なコンピュータに、印刷物の発送部数が前記印刷物の在庫部数より多いとき前記印刷物の増刷が必要と判定する増刷判定機能と、前記増刷判定手段により前記印刷物の増刷が必要と判定されたとき、前記発送部数に対して前記在庫部数から不足する分の増刷部数と、前記詳細情報に応じて印刷指示先を選択するために予め定められた分岐部数との大小の比較により印刷指示先を決定し、前記印刷指示先に前記増刷部数の印刷指示を行う印刷指示機能とを動作させるための発送支援プログラム。
【発明の効果】
【０００９】
請求項１又は４に係る発明によれば、印刷物の発送時に増刷を調整することにより在庫を管理することができる。
【００１０】
請求項２に係る発明によれば、印刷物の発送後に増刷を調整することにより在庫を管理することができる。
【００１１】
請求項３に係る発明によれば、印刷物の改訂履歴に基づいて増刷を調整することにより在庫を管理することができる。
【図面の簡単な説明】
【００１２】
【図１】本発明の実施の形態に係る発送支援システムの構成例を示す概略図である。
【図２】本発明の実施の形態に係る発送支援サーバの構成例を示す概略図である。
【図３】本発明の実施の形態に係る印刷物詳細情報の構成例を示す概略図である。
【図４】本発明の実施の形態に係るピックアップリストの構成例を示す概略図である。
【図５】本発明の実施の形態に係るピックアップリストの他の構成例を示す概略図である。
【図６】本発明の実施の形態に係る発送支援システムの動作例を示すフローチャートである。
【図７】本発明の実施の形態に係る発送支援システムの他の動作例を示すフローチャートである。
【図８】本発明の実施の形態に係る発送支援システムの他の動作例を示すフローチャートである。
【図９】本発明の実施の形態に係る発送支援システムの他の動作例を示すフローチャートである。
【発明を実施するための形態】
【００１３】
（画像形成システムの構成）
図１は、本発明の実施の形態に係る発送支援システムの構成例を示す概略図である。
【００１４】
発送支援システム１００は、倉庫１００Ａに設置された、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｋ  Ｄｒｉｖｅ）等の電子部品により構成されて印刷物を受注して発送を支援するとともに印刷物の在庫管理及び増刷管理を行う発送支援装置としての発送支援サーバ１と、印刷物２０及び５０を梱包するための指示内容が記載された発送指示書としてのピックアップリスト４０を印刷するプリンタ４、印刷物の印刷情報を格納する印刷物印刷情報データベース３と、印刷物印刷情報データベース３に格納された印刷情報を用いて印刷物２０をオンデマンド印刷するプリンタ２と、外部の印刷会社等で予め印刷された印刷物５０を在庫管理する在庫棚５とを有する。なお、ピックアップリスト４０は、プリンタ２によって印刷される構成でもよい。
【００１５】
印刷物２０及び５０は、例えば、カタログ等であり、ピックアップリスト４０の指示内容に基づいて作業者によって梱包材６０に梱包され、発注元である拠点１００Ｂ及び１００Ｃに配送される。梱包材６０は、梱包される印刷物の部数に応じて複数種類用意される。また、印刷物２０及び５０は、それぞれ複数種類のものが用意されてもよいがそれぞれ同一内容のものである。
【００１６】
また、発送支援サーバ１は、インターネット１００Ｄを介して、発注元としての拠点１００Ｂに設置された端末装置１００ｂと、拠点１００Ｃに設置された端末装置１００ｃと接続される。利用者は、端末装置１００ｂ及び１００ｃにおいて所定の操作を実行することで、発送支援サーバ１に対して印刷物を発注する。
【００１７】
また、端末装置１００ｂ及び１００ｃは、マウスやキーボード等の操作部から入力される操作信号に基づいて動作し、ＣＰＵやＨＤＤ等の電子部品により構成されて情報を処理し、ＬＣＤ（Ｌｉｑｕｉｄ  Ｃｒｙｓｔａｌ  Ｄｉｓｐｌａｙ）パネル等である表示部に画像を表示する。
【００１８】
図２は、本発明の実施の形態に係る発送支援サーバの構成例を示す概略図である。
【００１９】
発送支援サーバ１は、ＣＰＵ等から構成され各部を制御するとともに各種のプログラムを実行する制御部１０と、ＨＤＤやフラッシュメモリ等の記憶装置から構成され情報を記憶する記憶部１１と、インターネット１００Ｄと通信するとともにＬＡＮ（Ｌｏｃａｌ  Ａｒｅａ  Ｎｅｔｗｏｒｋ）等のネットワークを介してプリンタ２、印刷物印刷情報データベース３及びプリンタ４と通信する通信部１２とを有する。
【００２０】
制御部１０は、後述する発送支援プログラム１１Ａを実行することで、発送方法決定手段１０Ａ、ピックアップリスト出力制御手段１０Ｂ、増刷判定手段１０Ｃ及び印刷指示手段１０Ｄを動作させる。
【００２１】
発送方法決定手段１０Ａは、端末装置１００ｂ及び１００ｃから受信した受注情報１１Ｂを記憶部１１に格納するとともに、受注情報１１Ｂの内容を確認し、在庫棚５の印刷物５０の在庫数を考慮して、在庫棚５の印刷物を発送するか、プリンタ４において新たに印刷物を印刷して発送するか、又は外部の印刷会社に増刷を依頼するかを決定する。ピックアップリスト出力制御手段１０Ｂは、発送方法決定手段１０Ａの決定に基づいてピックアップリスト４０を作成し、プリンタ４において印刷するよう指示する。増刷判定手段１０Ｃは、発送方法決定手段１０Ａにおいて外部の印刷会社に増刷を依頼する場合、及び在庫棚５の印刷物５０の在庫が所定の条件に合致した場合において、増刷する部数を決定して外部の印刷会社に増刷を指示する。印刷指示手段１０Ｄは、発送方法決定手段１０Ａの決定に基づいて印刷物２０が必要となるとき、印刷物印刷情報データベース３から該当する印刷情報を取得して、プリンタ２において印刷物２０を印刷するよう指示する。
【００２２】
記憶部１１は、制御部１０を上述した各手段として動作させる発送支援プログラム１１Ａと、端末装置１００ｂ及び１００ｃから受信した受注情報１１Ｂと、在庫棚５の印刷物５０の詳細を示す情報である印刷物詳細情報１１Ｃと、増刷判定手段１０Ｃが印刷物５０の増刷を判定するとき用いる閾値である増刷閾値情報１１Ｄとを記憶する。
【００２３】
図３は、本発明の実施の形態に係る印刷物詳細情報の構成例を示す概略図である。
【００２４】
印刷物詳細情報１１Ｃは、カタログ等の印刷物を識別する識別子としての印刷物名と、印刷物のページ数を示すページ数と、印刷物が冊子の形態か否かを示す冊子と、印刷物の印刷物印刷情報データベース３における格納先を示す格納場所と、印刷物の在庫を最後に参照した日時を示す最終参照日時と、印刷物が改定されて何版目かを示す版番号と、発送された印刷物の部数を示す利用部数と、印刷物に対して施される後処理の内容を示す後処理と、印刷物に対して指定される用紙の種類を示す用紙と、印刷物に関連する商品の販売された日時を示す商品販売日時と、印刷物に関連する商品の販売が開始されてから終了するまでの期限を示す商品有効期限とを有する。
【００２５】
図４は、本発明の実施の形態に係るピックアップリストの構成例を示す概略図である。
【００２６】
ピックアップリスト４０ａ及び４０ｂは、発注元の配送先と、発注元から受注したオーダー番号と、梱包材の種類を示す梱包アイテムと、印刷物の取得元を示すピックアップ先と、取得する印刷物の種類を示すカタログ名、取得する印刷物の部数を示す部数とを有する。
【００２７】
図４に示す例では、例えば、梱包材として箱と袋があり、箱は１００部の印刷物を梱包可能で、袋は９９部以下の印刷物を梱包可能であることを前提としている。また、受注した部数が在庫棚５の在庫数より少ない場合を示している。
【００２８】
図５は、本発明の実施の形態に係るピックアップリストの他の構成例を示す概略図である。
【００２９】
ピックアップリスト４０ｃ及び４０ｄは、発注元の配送先と、発注元から受注したオーダー番号と、梱包材の種類を示す梱包アイテムと、印刷物の取得元を示すピックアップ先と、ピックアップ先のプリンタにて実行されている印刷のジョブＩＤと、取得する印刷物の種類を示すカタログ名、取得する印刷物の部数を示す部数とを有する。
【００３０】
図５に示す例では、例えば、受注した部数が在庫棚５の在庫数より多い場合を示し、複数の場所から梱包作業員が印刷物をピックアップする手間を省くため、印刷物をすべてプリンタ２にて印刷している。また、印刷速度向上のために梱包材ごとに異なるプリンタによって印刷物が印刷されているが、同一のプリンタによって印刷されるものであってもよい。その場合、発送先又は梱包材ごとに仕分け用の印刷物を生成して仕分けを容易にしてもよい。なお、プリンタ２と在庫棚５の設置位置が近く、梱包作業員が印刷物をピックアップする手間がかからない場合は、在庫棚５に在庫している部数を使い切って、不足している分だけプリンタ２において印刷物２０を印刷する方式としてもよい。
【００３１】
（動作）
以下に、本発明の一実施の形態における発送支援システムの動作を各図を参照しつつ説明する。
【００３２】
まず、利用者は、例えば、端末装置１００ｂ及び１００ｃから印刷物として、例えば、カタログ等の請求を実行して、印刷物を発注する。発注した内容は、インターネット１００Ｄを介して発送支援サーバ１に送信される。
【００３３】
以下の説明において、発送支援サーバ１が発注を受注して印刷物を発送する動作及び増刷を指示する動作を説明する。
【００３４】
図６は、本発明の実施の形態に係る発送支援システムの動作例を示すフローチャートである。
【００３５】
まず、発送方法決定手段１０Ａは、端末装置１００ｂ及び１００ｃから印刷物を受注し受注情報１１Ｂとして記憶部１１に格納する（Ｓ１０）。次に、予め定めた受注締め切り時間になると（Ｓ１１；Ｙｅｓ）、発送方法決定手段１０Ａは、受注情報１１Ｂの内容を取り出し（Ｓ１２）、在庫棚５の在庫数を確認する（Ｓ１３）。
【００３６】
ステップＳ１３において在庫棚５の在庫が受注情報の部数以上であるとき（Ｓ１３；Ｙｅｓ）、発送方法決定手段１０Ａは、発送方法を、例えば、図４に示すように、在庫棚５から発送する方法に決定し（Ｓ１４）、ピックアップリスト出力制御手段１０Ｂは、発送方法決定手段１０Ａの決定に基づいて、ピックアップリスト４０ａ及び４０ｂの印刷情報を作成する（Ｓ１５）。次に、後述する在庫部数確認アルゴリズム（図８）に基づいて増刷を印刷会社に指示し（Ｓ１６）、作成したピックアップリストを印刷する（Ｓ１７）。
【００３７】
また、ステップＳ１３において在庫棚５の在庫が受注情報の部数未満であるとき（Ｓ１３；Ｎｏ）、増刷判定手段１０Ｃは、増刷を決定し（Ｓ１８）、増刷を印刷会社に発注するか否かを後述する手順（図７）で判定する（Ｓ１９）。増刷を印刷会社に発注するとき（Ｓ１９；Ｙｅｓ）、後述する発注部数確認アルゴリズムに基づいて印刷会社に増刷を発注し（Ｓ２０）、受注情報をバックオーダーとして印刷物が印刷会社から入庫されるまで待機する（Ｓ２１）。
【００３８】
また、増刷を印刷会社に発注しないとき（Ｓ１９；Ｎｏ）、発送方法決定手段１０Ａは、発送方法を、例えば、図４に示すように、プリンタ２においてオンデマンド印刷された印刷物２０を用いた発送方法に決定し（Ｓ２２）、不足している部数の情報を発送支援サーバ１の図示しないメモリに記録するとともに（Ｓ２３）、印刷指示手段１０Ｄは、印刷物の印刷指示をプリンタ２に送信し（Ｓ２４）、ピックアップリスト出力制御手段１０Ｂは、発送方法決定手段１０Ａの決定に基づいて、ピックアップリスト４０ｃ及び４０ｄの印刷情報を作成して（Ｓ２５）、プリンタ４においてピックアップリスト４０ｃ及び４０ｄを印刷する（Ｓ１７）。
【００３９】
以上の動作の後、梱包作業員は、ピックアップリスト４０ａ及び４０ｂ、又は４０ｃ及び４０ｄに従って梱包材６０を用意し、印刷物２０及び／又は５０を梱包し、発送先へ発送する。
【００４０】
図７は、本発明の実施の形態に係る発送支援システムの他の動作例を示すフローチャートである。この動作は、図６のステップＳ１９の内容を詳細に説明するものである。
【００４１】
まず、増刷判定手段１０Ｃは、図３に示す印刷物詳細情報１１Ｃから該当する印刷物の詳細情報を取得する（Ｓ３０）。例えば、「印刷物Ｂ」のようにページ数が２以下であるとき（Ｓ３１；Ｙｅｓ）、印刷の発注先を決定するための選択部数としての分岐部数を１５００として（Ｓ３２）、在庫の部数と必要な部数との差分が分岐部数以上のとき（Ｓ３３；Ｙｅｓ）、ステップＳ２０へと進む。また、在庫の部数と必要な部数との差分が分岐部数より小さいとき（Ｓ３３；Ｎｏ）、ステップＳ２２へと進みプリンタ２においてオンデマンド印刷を実行する。
【００４２】
また、ページ数が２より大きく（Ｓ３１；Ｎｏ）、「印刷物Ａ」又は「印刷物Ｃ」のように、印刷物が冊子の形態であるとき（Ｓ３４；Ｙｅｓ）、分岐部数を５０００として（Ｓ３５）、製本の過程を必要とするためより大きい部数で印刷会社に発注するようステップＳ３３へと進む。
【００４３】
また、印刷物が冊子の形態でなく（Ｓ３４；Ｎｏ）、図３に示すように後処理の必要がない「Ｎ」のとき又は「パンチ穴」のように後処理がプリンタ２がサポート可能なものでないとき（Ｓ３６；Ｎｏ）、分岐部数を１として（Ｓ３７）、印刷会社に発注するよう分岐部数を低く設定してステップＳ３３へと進む。
【００４４】
また、後処理がプリンタ２がサポート可能なもので（Ｓ３６；Ｙｅｓ）、印刷物に使用する用紙が指定されておりプリンタ２がサポート不可能な特殊な用紙であるとき（Ｓ３８；Ｎｏ）、印刷会社に発注するよう分岐部数を低く設定して分岐部数を１として（Ｓ３９）、ステップＳ３３へと進む。
【００４５】
また、印刷物に使用する用紙が指定されていないときや「マットコート」のようにプリンタ２がサポート可能なものであるとき（Ｓ３８；Ｙｅｓ）、オンデマンド印刷で印刷可能であるためプリンタ２において印刷を実行するようステップＳ２２へと進む。
【００４６】
図８は、本発明の実施の形態に係る発送支援システムの他の動作例を示すフローチャートである。この動作は、図６ステップＳ１６に示した在庫部数確認アルゴリズムの内容を詳細に説明するものである。
【００４７】
まず、増刷判定手段１０Ｃは、在庫棚５の印刷物５０の在庫部数を確認し（Ｓ５０）、増刷閾値情報１１Ｄ及び印刷物詳細情報１１Ｃを取得する（Ｓ５１）。ここで増刷閾値情報１１Ｄは印刷物ごとに増刷を必要とする在庫部数の閾値の情報である。
【００４８】
次に、増刷判定手段１０Ｃは、在庫部数と増刷を必要とする閾値を比較し、在庫部数が閾値以下であり（Ｓ５２；Ｙｅｓ）、最後の増刷から改定がなく（Ｓ５３；Ｙｅｓ）、最後の増刷から１週間以内であって（Ｓ５４；Ｙｅｓ）、分岐部数が１より大きいとき（Ｓ５５；Ｙｅｓ）、分岐部数を増刷するよう印刷会社に指示する（Ｓ５６）。なお、分岐部数は、図７に示す方法で決定する。
【００４９】
また、ステップＳ５２〜Ｓ５５における条件を満たしていないとき（Ｓ５２〜Ｓ５５；Ｎｏ）、在庫が減っていないもの、改定が多いもの、増刷の間隔が長いものとみなし、増刷はしない（Ｓ５７）。
【００５０】
図９は、本発明の実施の形態に係る発送支援システムの他の動作例を示すフローチャートである。この動作は、図６のステップＳ２０に示した発注部数確認アルゴリズムの内容を詳細に説明するものである。
【００５１】
まず、増刷判定手段１０Ｃは、印刷物詳細情報１１Ｃを参照して、該当する印刷物の改定が最後の増刷からなく（Ｓ６０；Ｙｅｓ）、最後の増刷から１週間以内であるとき（Ｓ６１；Ｙｅｓ）、改定が少なく安定しており増刷の間隔が短い印刷物とみなし、不足している部数の２倍の部数を印刷会社に印刷指示する（Ｓ６２）。
【００５２】
また、最後の増刷から１週間より長い期間経過し（Ｓ６１；Ｎｏ）、１ヶ月以内であるとき（Ｓ６３；Ｙｅｓ）、改定が少なく安定しており増刷の間隔が長すぎないものとみなし、不足している部数の１．５倍の部数を印刷会社に印刷指示する（Ｓ６４）。また、最後の増刷から１ヶ月より長い期間経過しているとき（Ｓ６３；Ｎｏ）、増刷の間隔は長いものの改定が少なく安定しているため、不足している部数だけ印刷会社に印刷指示する（Ｓ６５）。
【００５３】
また、ステップＳ６０において最後の増刷から改定があるとき（Ｓ６０；Ｎｏ）、改定の回数をカウントし、改定が１回であって（Ｓ６６；Ｙｅｓ）、最後の改定から２週間以内のとき（Ｓ６７；Ｙｅｓ）、改定が頻繁に行われているとみなし、不足している部数だけ印刷会社に印刷指示する（Ｓ６８）。また、複数回改定が実施されているときも（Ｓ６６；Ｎｏ）、ステップＳ６８を実行する。
【００５４】
また、最後の改定から２週間より長い期間経過しているとき（Ｓ６７；Ｎｏ）、改定されてはいるものの、改定は少なく安定しているとみなし、不足している部数の１．５倍の部数を印刷会社に印刷指示する（Ｓ６９）。
【００５５】
図８及び図９において説明した印刷物発注の動作の後、印刷物が作成されると、梱包作業員は在庫棚５へ入庫する。
【００５６】
［他の実施の形態］
なお、本発明は、上記実施の形態に限定されず、本発明の趣旨を逸脱しない範囲で種々な変形が可能である。例えば、印刷物詳細情報１１Ｃの商品発売日時を参照して、商品発売日時が、例えば、２週間後であるとき、版の改定が行われており、在庫の部数が閾値より下回っていなくとも先行して在庫を発注してもよい。また、商品有効期限を参照して、有効期限が迫っている印刷物に関しては増刷のタイミングであっても印刷会社に印刷を指示せず、不足分の印刷のみプリンタ２によるオンデマンド印刷によって実行してもよい。
【００５７】
また、上記実施の形態で使用される発送方法決定手段１０Ａと、ピックアップリスト出力制御手段１０Ｂと、増刷判定手段１０Ｃ及び印刷指示手段１０Ｄとは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００５８】
１…発送支援サーバ、２…プリンタ、３…印刷物印刷情報データベース、４…プリンタ、５…在庫棚、１０…制御部、１０Ａ…発送方法決定手段、１０Ｂ…ピックアップリスト出力制御手段、１０Ｃ…増刷判定手段、１０Ｄ…印刷指示手段、１１…記憶部、１１Ａ…発送支援プログラム、１１Ｂ…受注情報、１１Ｃ…印刷物詳細情報、１１Ｄ…増刷閾値情報、１２…通信部、２０…印刷物、４０…ピックアップリスト、４０ａ…ピックアップリスト、４０ｃ…ピックアップリスト、５０…印刷物、６０…梱包材、１００…発送支援システム、１００Ａ…倉庫、１００Ｂ…拠点、１００Ｃ…拠点、１００Ｄ…インターネット、１００ｂ…端末装置、１００ｃ…端末装置
【図１】
2011003079.tif 000003
【図２】
2011003079.tif 000004
【図３】
2011003079.tif 000005
【図４】
2011003079.tif 000006
【図５】
2011003079.tif 000007
【図６】
2011003079.tif 000008
【図７】
2011003079.tif 000009
【図８】
2011003079.tif 000010
【図９】
2011003079.tif 000011